(57)【要約】      （修正有）【課題】本考案は構造を簡素にして故障等を生ずることなしに折り畳み展開が容易で展開時に強固に自立し、折り畳み時には縦方向の直線内に収まるスマートな傘立てを新規に提供する。【解決手段】本考案は２個の枠体をクロス支点軸３にて組み付けした構造の簡素により折り畳み展開を素早く容易にして傘の立て入れ板の水平の掛着にて２個の枠体の展開自立を強化し、折り畳み時には縦方向の直線を呈するようにした。【選択図】図３
0003222585.tif 000002
【実用新案登録請求の範囲】
【請求項１】
相似の四角形に形成する２個の枠体を中間のクロス支点軸にて折り畳み展開自在に組み付け、一方の枠体の上部を回動支点にして傘の立て入れ板を取り付け、上記２個の枠体の展開自立時に該傘の立て入れ板を上回動して先端を他方の枠体の上辺に掛着して水平にするとともに２個の枠体の自立を補強強化し、且つ雨滴受けを載着した底板を自立した２個の枠体の下辺間に取外し自在に跨嵌載着するようにしたことを特徴とする折り畳み展開可能な傘立て。
【請求項２】
雨滴受けを載着した底板は２個の枠体の折り畳み時に他方の枠体の両側間に縦入れ掛着する請求項１に記載の折り畳み展開可能な傘立て。
【請求項３】
一方の枠体は他方の枠体より縦長を長くして他方の枠体より上方に突出する上辺にて提手を兼ねるようにした請求項１または２に記載の折り畳み展開可能な傘立て。
【請求項４】
雨滴受けを吸水・速乾性に優れた珪藻土にて形成する請求項１乃至３のいずれかに記載の折り畳み展開可能な傘立て。
【考案の詳細な説明】
【技術分野】
【０００１】
この考案は折り畳み展開可能な傘立てに関するものある。
【背景技術】
【０００２】
この種の傘立てとしては実公昭５３−４３３１２号公報がある。この公報はクロスバー１，２の上部に傘立て６、下部に雨滴受け４を回動自在に取り付けて折り畳み展開自在にしたということを記載している。
【特許文献１】実公昭５３−４３３１２号公報
【考案の開示】
【考案が解決しようとする課題】
【０００３】
しかしながら、上記公報は傘立て６を傾斜長孔１３を摺動する軸にて、また、雨滴受け４も枢支部を挟んで横軸により回動させるため、構造が複雑で故障しやすいという課題がある。また、折り畳み時には傘立て６と雨滴受け４がクロスバー１，２の側外にはみ出して嵩張るため持ち運びを容易でないものにしているという課題がある。
【課題を解決するための手段】
【０００４】
本考案は相似四角形をした２個の枠体をクロスさせて折り畳み展開自在に組み付け、一方の枠体の上部を回動支点にして傘の立て入れ板の基端を取り付け、２個の枠体の展開による自立時に傘の立て入れ板を上回動して先端を他方の枠体の上辺に掛着して傘を立て入れするように水平にして、この掛着により２個の枠体の展開自立を補強，強化させ、且つ展開自立した２個の枠体の下部間に底板を敷着し、この底板上に常時乾燥状態を保つ珪藻土にて形成する雨滴受けを載着し、２個の枠体の折り畳み時に傘の立て入れ板、底板を含めて枠体の重なり太さにおいて直線を呈すようにして、前記公報の課題を解決するようにしたのである。
【考案の効果】
【０００５】
本考案の傘立ては構造の簡素により故障等することなしに素早く折り畳み展開することができるという効果を生ずる。
【０００６】
クロス組み付けした２個の枠体は展開時に傘の立て入れ板の先端の水平掛着により強固に自立することになるという効果を生ずる。
【０００７】
雨滴受けを常時乾燥状態を保つ珪藻土にて形成したことで雨滴の溜まりと漏れ出し，流れ出しを防止するという効果を生ずる。
【０００８】
折り畳み時には２個の枠体が縦方向に重なって直線を呈し、傘の立て入れ板と雨滴受け、底板をこの直線内に収めることができてスマートに持ち運びと保管を便利にするという効果を生ずる。
【０００９】
一方の枠体の縦長を他方の枠体の縦長より長くしたことで、上方に突出した上辺にて持ち運び用の提手を形成することができるという効果を生ずる。
【図面の簡単な説明】
【００１０】
【図１】本考案の１実施例を展開した使用状態にて示す斜視図
【図２】同、側面図
【図３】底板と雨滴受けを組付け前の状態にて示す斜視図
【図４】（ａ）は両枠体を折り畳みつつある状態、（ｂ）は折り畳んだ状態を示す側面図
【図５】同、底板を両枠体間に縦入れ掛着した収納時の状態を示す背面図
【符号の説明】
【００１１】
１は一方の枠体
１ａは同、枠体の提手を兼ねた上辺
１ｂは同、枠体の下辺
２は他方の枠体
２ａは同、枠体の上辺
２ｂは同、枠体の下辺
３はクロス支点軸
４は傘の立て入れ板の基端の取り付け支点軸
４ａは先端の掛着用鉤部
５は傘の立て入れ板
５ａは傘の立て入れ孔
６は底板
７は珪藻土にて形成した雨滴受け
７ａは水溜
８は一方の枠体の中間の低い位置に渡設した折り畳み傘用の支えバー
Ｕは立て入れ傘
Ｕ１は折り畳み傘
【考案を実施するための最良の形態】
【００１２】
本考案は、相似の四角形をした２個の枠体を中間のクロス支点軸にて折り畳み展開自在に組み付けして、一方の枠体の上部に傘の立て入れ板の基端を回動するように取り付け、２個の枠体の展開時に傘の立て入れ板を上回動して先端を鉤部を他方の枠体の上辺に掛着して傘の立て入れができるように水平にするとともに２個の枠体の展開による自立を補強強化するようにして、自立した２個の枠体の下部に敷着する底板上に珪藻土にて形成した雨滴受けを載着して傘の立て入れによる雨滴の溜まりと流出のない傘立てを構成する。
【実施例１】
【００１３】
図１乃至図５は本考案の実施例であって、図１は展開した使用状態を示すもので、相似の四角形をした２個の枠体１と枠体２は中間のクロス支点軸３にて展開し自立している。
【００１４】
一方の枠体１の上部の支点軸４を回動支点にして取り付ける傘の立て入れ板５を枠体１，２の展開により上回動して先端の鉤部４ａを他方の枠体２の上辺２ａに掛着して傘の立て入れができるように水平にして且つ２個の枠体１，２の展開による自立を補強し強化させる。
【００１５】
自立した枠体１，２の下辺１ｂ，２ｂ間に底板６を取外し自在に跨嵌して載着する。７は底板６上に取外し自在に載着する珪藻土にて形成した雨滴受けで、上面には傘の立て入れ板５に設けられた４個ずつ２列の傘の立て入れ孔５ａに相対して同数の水溜７ａを設けている。
【００１６】
珪藻土にてなる水溜７ａは多気孔質の無数の小さな穴にて立て入れた傘Ｕから流れ落ちる雨滴を瞬時に吸収し、吸収した水分が一定量に達すると自立呼吸により放出する吸水性・速乾性に優れているため、格別に乾燥させなくても表面はいつも乾燥したクリーンな状態を保つことができるものとなる。
【００１７】
なお、一方の枠体１は他方の枠体２より縦長を長くして上方に突出した上辺１ａにて傘立ての提手を兼ねるようにしている。また、８は丈の短い折り畳み傘Ｕ１を立て支えするために枠体１の中間の低い位置に渡設した支えバーである。
【００１８】
図４乃至図５は折り畳み状態を示すもので、枠体１，２は折り畳まれて縦方向の直線状となり、傘の立て入れ板５はこの直線内に収まり、雨滴受け７を載着した底板６は図５に示すように他方の枠体２の両側間に縦入れ掛着して枠体１，２の折り畳み直線内に収まるようにして持ち運びと保管をしやすくする。
【産業上の利用可能性】
【００１９】
本考案は構造を簡素にすることで、故障等を生ずることなしに折り畳み展開を素早く容易に行えて、展開による自立を強化するとともに雨滴の溜まり，流れ出しがなく、折り畳み時には持ち運びと保管のしやすい直線形のスマートな形状になることで広く利用されるものである。
【図１】
0003222585.tif 000003
【図２】
0003222585.tif 000004
【図３】
0003222585.tif 000005
【図４】
0003222585.tif 000006
【図５】
0003222585.tif 000007